(57)【要約】【課題】磁性部品を回路基板へ結合したときの占有空間を小さくする磁性部品改良構造を提供する。【解決手段】磁性部品改良構造１は、ベース１１及び２つの鉄心１２を備える。ベース１１は、中央部に配置された巻取り軸管１１１を有する。巻取り軸管１１１の左右両端に設けられた開口には、邪魔板１１２が延設される。邪魔板１１２の外縁には、互いに対称に２組のピン部１１３が配置される。ピン部１１３には、少なくとも１本のピン１１３２が上から下方向へかけて挿入されるか下から上方向へかけて挿入される。鉄心１２は、互いに対称に形成された切欠き１２１を有する。２つの対称なラウンド状壁部１２２がベース１１に向けて延びる。２つのラウンド状壁部１２２間の鉄心１２の中心部には、巻取り軸管１１１の開口に向けて芯柱１２３が延設される。【選択図】図１
0003179657.tif 000002
【実用新案登録請求の範囲】
【請求項１】
ベース及び２つの鉄心を備えた磁性部品改良構造であって、
前記ベースは、中央部に配置された巻取り軸管を有し、前記巻取り軸管の左右両端に設けられた開口には、邪魔板が延設され、前記邪魔板の外縁には、互いに対称に２組のピン部が配置され、前記ピン部には、少なくとも１本のピンが上から下方向へかけて挿入されるか下から上方向へかけて挿入され、
前記鉄心は、互いに対称に形成された切欠きを有し、２つの対称なラウンド状壁部が前記ベースに向けて延び、前記２つのラウンド状壁部間の前記鉄心の中心部には、前記巻取り軸管の前記開口に向けて芯柱が延設され、
前記鉄心は、前記ピン部の間にそれぞれ係合されるとともに、前記ベース上に左右に組み合わされて、前記鉄心の前記ラウンド状壁部を互いに一致させて前記ベースを覆うと、前記芯柱が前記巻取り軸管の中央貫通部へ挿入されることを特徴とする磁性部品改良構造。
【請求項２】
前記芯柱は、前記巻取り軸管の前記中央貫通部に合致する形状を有することを特徴とする請求項１に記載の磁性部品改良構造。
【請求項３】
前記ピン部の前記ピンは、回路基板に嵌挿接合されることを特徴とする請求項１に記載の磁性部品改良構造。
【請求項４】
前記ピン部は、前記邪魔板の外縁に形成された隔板を有し、
前記２つの鉄心の前記切欠きは、前記２組のピン部が有する前記隔板の内側間に係合され、
前記ピンは、前記隔板の外方に延在されて前記隔板との間に一定の距離を有することを特徴とする請求項１に記載の磁性部品改良構造。
【請求項５】
前記２つの鉄心のうちの一方の前記鉄心は、前記ベースの左側へ配置され、他方の前記鉄心は、前記ベースの右側に配置されることを特徴とする請求項１に記載の磁性部品改良構造。
【請求項６】
回路基板の切欠きを有する側に立設されるとともに、ベース及び２つの鉄心を備えた磁性部品改良構造であって、
前記ベースは、中央部に配置された巻取り軸管を有し、前記巻取り軸管の左右両端に設けられた開口には、邪魔板が延設され、前記邪魔板の外縁には、互いに対称に配置された２組のピン部が配置され、前記ピン部には、少なくとも１本のピンが上から下方向へかけて挿入されるか下から上方向へかけて挿入され、
前記鉄心は、互いに対称に形成された切欠きを有し、２つの対称なラウンド状壁部が前記ベースに向けて延び、前記２つのラウンド状壁部間は、前記鉄心の中心部に、前記巻取り軸管に設けられた開口に向けて芯柱が延設され、前記芯柱は、前記巻取り軸管の中央部へ挿設され、
前記鉄心は、前記ベースの前記ピン部間にそれぞれ係合されるとともに、前記ベース上に左右を組み合わせて、前記鉄心の前記ラウンド状壁部を互いに一致させて前記ベースを覆うと、前記ピン部の前記ピンが前記切欠き周囲の接点上に嵌挿接合され、前記２つの鉄心が組み合わされた前記べースが、前記回路基板の前記切欠きが設けられた側部に立設されることを特徴とする磁性部品改良構造。
【請求項７】
前記芯柱は、前記巻取り軸管の中央貫通部に合致した形状を有することを特徴とする請求項６に記載の磁性部品改良構造。
【請求項８】
前記ピン部は、前記邪魔板の外縁に設けられた隔板を有し、
前記２つの鉄心の前記切欠きが前記２組のピン部の前記隔板の内側間に係合され、
前記ピンは、前記隔板の外方に延在されて前記隔板との間に一定の距離を有することを特徴とする請求項６に記載の磁性部品改良構造。
【請求項９】
前記２つの鉄心のうち一方の前記鉄心は、前記ベースの左側へ配置され、他方の前記鉄心は、前記ベースの右側に配置されることを特徴とする請求項６に記載の磁性部品改良構造。
【請求項１０】
前記２つの鉄心が組み合わされた前記ベースは、前記回路基板の前記切欠きと一致した寸法を有し、前記切欠きが設けられた前記回路基板の側部に立設されることを特徴とする請求項６に記載の磁性部品改良構造。
【考案の詳細な説明】
【技術分野】
【０００１】
本考案は、磁性部品改良構造に関し、特に、ＬＥＤ照明管の駆動回路基板の側部に配置する磁性部品改良構造に関する。
【背景技術】
【０００２】
磁性部品は、電子製品のなかで重要な電子部品の一つ（例えば、インダクタ、変圧器など）であり、主に電子回路中の駆動電圧を変換するために用いられ、その種類は、電圧を下げる電源用磁性部品、従来の表示装置又は液晶表示装置の動作電圧を上げる高圧用磁性部品などに区分され、電子製品の製造メーカは、対応した磁性部品の規格又は種類を必要に応じて選択し、電圧変換を安定させて動作性能を高めることができる。
【０００３】
ＬＥＤ照明管の駆動回路基板上に設置される磁性部品は、一般に固定された鉄心を備えてその上にコイルが巻かれており、磁性部材が回路基板の一面上に直接半田付けされることが一般的であるため、回路基板上で最大面積を占める電子部品は磁性部品である。特に大型サイズの磁性部材を設置する場合、小型化又は体積がより小さなものが求められる現代の電子装置にとって占有空間が大きすぎるため、装置の体積を小さくすることは困難である。
【０００４】
そのため、磁性部材を回路基板の何れかの側部上に設置し、磁性部材の占有空間を小さくすることができる技術が求められていた。
【考案の概要】
【考案が解決しようとする課題】
【０００５】
本考案の目的は、ＬＥＤ照明管の回路基板の何れかの側部上に設置し、磁性部品を回路基板へ結合したときの占有空間を小さくする磁性部品改良構造を提供することにある。
【課題を解決するための手段】
【０００６】
上記課題を解決するために、ベース及び２つの鉄心を備えた磁性部品改良構造であって、前記ベースは、中央部に配置された巻取り軸管を有し、前記巻取り軸管の左右両端に設けられた開口には、邪魔板が延設され、前記邪魔板の外縁には、互いに対称に２組のピン部が配置され、前記ピン部には、少なくとも１本のピンが上から下方向へかけて挿入されるか下から上方向へかけて挿入され、前記鉄心は、互いに対称に形成された切欠きを有し、２つの対称なラウンド状壁部が前記ベースに向けて延び、前記２つのラウンド状壁部間の前記鉄心の中心部には、前記巻取り軸管の前記開口に向けて芯柱が延設され、前記鉄心は、前記ピン部の間にそれぞれ係合されるとともに、前記ベース上に左右に組み合わされて、前記鉄心の前記ラウンド状壁部を互いに一致させて前記ベースを覆うと、前記芯柱が前記巻取り軸管の中央貫通部へ挿入されることを特徴とする磁性部品改良構造が提供される。
【０００７】
前記芯柱は、前記巻取り軸管の前記中央貫通部に合致する形状を有することが好ましい。
【０００８】
前記ピン部の前記ピンは、回路基板に嵌挿接合されることが好ましい。
【０００９】
前記ピン部は、前記邪魔板の外縁に形成された隔板を有し、前記２つの鉄心の前記切欠きは、前記２組のピン部が有する前記隔板の内側間に係合され、前記ピンは、前記隔板の外方に延在されて前記隔板との間に一定の距離を有することが好ましい。
【００１０】
前記２つの鉄心のうちの一方の前記鉄心は、前記ベースの左側へ配置され、他方の前記鉄心は、前記ベースの右側に配置されることが好ましい。
【００１１】
上記課題を解決するために、回路基板の切欠きを有する側に立設されるとともに、ベース及び２つの鉄心を備えた磁性部品改良構造であって、前記ベースは、中央部に配置された巻取り軸管を有し、前記巻取り軸管の左右両端に設けられた開口には、邪魔板が延設され、前記邪魔板の外縁には、互いに対称に配置された２組のピン部が配置され、前記ピン部には、少なくとも１本のピンが上から下方向へかけて挿入されるか下から上方向へかけて挿入され、前記鉄心は、互いに対称に形成された切欠きを有し、２つの対称なラウンド状壁部が前記ベースに向けて延び、前記２つのラウンド状壁部間は、前記鉄心の中心部に、前記巻取り軸管に設けられた開口に向けて芯柱が延設され、前記芯柱は、前記巻取り軸管の中央部へ挿設され、前記鉄心は、前記ベースの前記ピン部間にそれぞれ係合されるとともに、前記ベース上に左右を組み合わせて、前記鉄心の前記ラウンド状壁部を互いに一致させて前記ベースを覆うと、前記ピン部の前記ピンが前記切欠き周囲の接点上に嵌挿接合され、前記２つの鉄心が組み合わされた前記べースが、前記回路基板の前記切欠きが設けられた側部に立設されることを特徴とする磁性部品改良構造が提供される。
【００１２】
前記芯柱は、前記巻取り軸管の中央貫通部に合致した形状を有することが好ましい。
【００１３】
前記ピン部は、前記邪魔板の外縁に設けられた隔板を有し、前記２つの鉄心の前記切欠きが前記２組のピン部の前記隔板の内側間に係合され、前記ピンは、前記隔板の外方に延在されて前記隔板との間に一定の距離を有することが好ましい。
【００１４】
前記２つの鉄心のうち一方の前記鉄心は、前記ベースの左側へ配置され、他方の前記鉄心は、前記ベースの右側に配置されることが好ましい。
【００１５】
前記２つの鉄心が組み合わされた前記ベースは、前記回路基板の前記切欠きと一致した寸法を有し、前記切欠きが設けられた前記回路基板の側部に立設されることが好ましい。
【図面の簡単な説明】
【００１６】
【図１】本考案の一実施形態に係る磁性部品改良構造を示す分解斜視図である。
【図２】本考案の一実施形態に係る磁性部品改良構造を示す斜視図である。
【図３】本考案の一実施形態に係る磁性部品改良構造を回路基板に結合させるときの状態を示す分解斜視図である。
【図４】本考案の一実施形態に係る磁性部品改良構造を回路基板に結合させたときの状態を示す斜視図である。
【図５】本考案の一実施形態に係る磁性部品改良構造を示す斜視図である。
【考案を実施するための形態】
【００１７】
図１及び図２を参照する。図１は、本考案の一実施形態に係る磁性部品改良構造を示す分解斜視図である。図２は、本考案の一実施形態に係る磁性部品改良構造を示す斜視図である。
図１及び図２に示すように、本実施形態の磁性部品改良構造１は、ベース１１及び２つの鉄心１２を含む。ベース１１は、中央部に配置された巻取り軸管１１１を有する。この巻取り軸管１１１の左右両端に設けられた開口には、邪魔板１１２が延設されている。この邪魔板１１２の外縁には、互いに対称に配置された２組のピン部１１３が設置されている。ピン部１１３は、邪魔板１１２の外縁に設けられた隔板１１３１を有する。この隔板１１３１には、少なくとも１本のピン１１３２が上から下方向へかけて延設されるか下から上方向へかけて延設され、ピン１１３２と隔板１１３１とは一定の距離で離間される。
【００１８】
２つの鉄心１２のうちの一方の鉄心１２は、ベース１１の左側へ配置され、他方の鉄心１２は、ベース１１の右側に配置される。２つの鉄心１２は、蓋状であり、互いに対称に形成された切欠き１２１を有し、２つの対称なラウンド状壁部１２２がベース１１に向けて延びている。２つのラウンド状壁部１２２間は、鉄心１２の中心部に、巻取り軸管１１１の開口に向けて芯柱１２３が延設されている。芯柱１２３は、巻取り軸管１１１の中央貫通部１１１１に挿入させることができる。
【００１９】
また、芯柱１２３の形状は、巻取り軸管１１１の中央貫通部１１１１に合致する。図２を参照する。図２に示すように、２つの鉄心１２は、２組のピン部１１３の隔板１１３１の内側間に係合されるとともに、ベース１１に左右が組み合わされ、２つの鉄心１２のラウンド状壁部１２２を互いに一致させてベース１１を覆うと、芯柱１２３が、巻取り軸管１１１の中央貫通部１１１１へ挿入される。
【００２０】
また、磁性部品改良構造１は、回路基板２の側部上に設置され、図３及び図４に示すように、回路基板２の側部には、磁性部品改良構造１を収納する切欠き２１が設けられており、２つの鉄心１２を組み合わせたベース１１のサイズが、回路基板２の切欠き２１のサイズに一致しているため、磁性部品改良構造１は、回路基板２の切欠き２１を有する側に立設させることができる。
【００２１】
隔板１１３１には、少なくとも１本のピン１１３２が外方に延在され、図３及び図４に示すように、回路基板２の切欠き２１の周囲には、複数の接点２２が設けられ、ピン部１１３のピン１１３２は、切欠き２１の周囲に設けられた接点２２に下から上方向にかけて挿設され、２つの鉄心１２と組み合わされたベース１１が、回路基板２の切欠き２１上に立設されるため、磁性部品改良構造１が回路基板２に結合されたときの占有空間を小さくすることができる。
【００２２】
実際に磁性部品改良構造１をＬＥＤ照明管の回路基板３に結合する場合、図５に示すように、複数の銅線４のうちの１本が巻取り軸管１１１に巻かれてコイル状に形成され、巻かれた銅線４が引っ張り出されて４つのピン部１１３に半田付けされるため、回路基板３の接点３１にピン部１１３のピン１１３２が下から上方にかけて挿設されるとともに、ピン１１３２が回路基板３の接点３１に半田付けされるため、コイルによりピン１１３２と回路基板３とが通電され、ラウンド状壁部１２２及び芯柱１２３により電磁場が発生し、磁性部品改良構造１が作動する。
【００２３】
本実施形態のピン１１３２は、回路基板２，３の接点２２，３１に上から下向きに挿入されるが、他の実施形態では、回路基板２，３の上方から回路基板２，３の接点２２，３１に挿入して上述の目的及び効果を達成してもよい。
【００２４】
上述したことから分かるように、本考案の磁性部品改良構造は、従来技術と比べて以下の長所を有する。
【００２５】
本考案は、ＬＥＤ照明管の駆動回路基板の何れかの側部上に設置することにより、磁性部品を回路基板に結合して形成される占有空間を小さくすることができ、応用する電子部品の体積を小さくしたり、電子装置内の空間を効果的に利用することができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  磁性部品改良構造
２  回路基板
３  回路基板
４  銅線
１１  ベース
１２  鉄心
２１  切欠き
２２  接点
３１  接点
１１１  巻取り軸管
１１２  邪魔板
１１３  ピン部
１２１  切欠き
１２２  ラウンド状壁部
１２３  芯柱
１１１１  中央貫通部
１１３１  隔板
１１３２  ピン
【図１】
0003179657.tif 000003
【図２】
0003179657.tif 000004
【図３】
0003179657.tif 000005
【図４】
0003179657.tif 000006
【図５】
0003179657.tif 000007